(57)【要約】【課題】特別な器具を必要とせずに、携帯鞄をスーツケースの外面に取り付けて簡単に持ち運ぶことができ、携帯鞄が安定して支持されるため、移動させやすい複合鞄を提供すること。【解決手段】キャスター及びキャリバー１１を有するスーツケース１０と、携帯鞄２０とから成り、スーツケース１０のキャリバー設置面と相対する表面上において、互いに離れた位置に複数のフック１３を設け、各フック１３の引っ掛け部は、これらフック１３が囲む区域の外側を向いて開口しており、携帯鞄２０には、それぞれフック１３に着脱自在に係合する複数の伸縮性リング２２を設け、伸縮性リング２２をフック１３に係合することにより、携帯鞄２０をスーツケース１０の表面に着脱自在に取り付ける。【選択図】　　図１
0003098002.tif 000002
【実用新案登録請求の範囲】
【請求項１】
キャスター及びキャリバーを有するスーツケースと、携帯鞄とから成り、前記スーツケースのキャリバー設置面と相対する表面上において、互いに離れた位置に複数のフックを設け、各フックの引っ掛け部は、これらフックが囲む区域の外側を向いて開口しており、前記携帯鞄には、それぞれ前記フックに着脱自在に係合する複数のリングを設け、該リングをフックに係合することにより、前記携帯鞄を前記スーツケースの表面に着脱自在に取り付けることを特徴とした複合鞄。
【請求項２】
前記フックは、前記スーツケースの表面に形成した凹部に設置された請求項１に記載の複合鞄。
【請求項３】
前記フックの引っ掛け部の内面に、リング脱落防止用の鉤部を形成した請求項１又は２に記載の複合鞄。
【請求項４】
前記リングは、前記携帯鞄の外縁部に設けられた請求項１乃至３のいずれかに記載の複合鞄。
【請求項５】
前記リングの少なくとも一つは、張力により生じた変形が弾性回復する伸縮性材料から成る請求項１乃至４のいずれかに記載の複合鞄。
【考案の詳細な説明】
【０００１】
【考案の属する技術分野】
本考案は、キャスター及びキャリバーを有するスーツケースと、スーツケースに着脱する携帯鞄とから成り、旅行用として好適な複合鞄に関する。
【０００２】
【従来の技術】
長距離を移動する旅行において、特に飛行機、電車、バス等の長距離用交通手段を利用する場合は、キャスター及びキャリバーを有する中型或いは大型のスーツケースが多く利用されている。このようなスーツケースは、多くの衣類等を収納でき、キャスター及びキャリバーによって比較的楽に移動させることができるため人気がある。
同時に、旅行先で観光したり外出する際には、必要な物品を収納して持ち歩くために、リュックサック等の携帯鞄も必要である。
【０００３】
スーツケースと携帯鞄を同時に持ち運ぶには、一般的に、携帯鞄をスーツケース内へ収納するか、スーツケースと携帯鞄を別々に持つことが多い。
携帯鞄をスーツケースに収納すると、持ち運びに要する負担は軽減されるが、スーツケース内のスペースが携帯鞄により奪われて収容能力が低下する。また、交通手段を乗り換える場合など、携帯鞄内へ収納した物品を取り出すことも多いが、このためにはいちいちスーツケースを開けなければならず、非常に面倒であるばかりか、安全面でもプライバシー面でも問題がある。
【０００４】
一方、スーツケースと携帯鞄を別々に持つと、携帯鞄へ容易に物品を出し入れすることはできるが、荷物が増えて行動が不便になるだけでなく、携帯鞄をひったくられる虞もある。
このような欠点を解決するものとして、スーツケースの外面に別体の携帯鞄を着脱できるようにした複合鞄が種々提案されている。しかし、これらの複合鞄は、全て携帯鞄を一点でスーツケースに取り付けてあるので、移動中に携帯鞄が大きく揺れて重心位置が移動し、この結果、スーツケースが走行しにくくなったり、倒れることがあった。
【０００５】
【考案が解決しようとする課題】
本考案の目的は、特別な器具を必要とせずに、携帯鞄をスーツケースの外面に取り付けて簡単に持ち運ぶことができ、携帯鞄が安定して支持されるため、移動させやすい複合鞄を提供することにある。
【０００６】
【課題を解決するための手段】
本考案の複合鞄は、キャスター及びキャリバーを有するスーツケースと、携帯鞄とから成り、前記スーツケースのキャリバー設置面と相対する表面上において、互いに離れた位置に複数のフックを設け、各フックの引っ掛け部は、これらフックが囲む区域の外側を向いて開口しており、前記携帯鞄には、それぞれ前記フックに着脱自在に係合する複数のリングを設け、該リングをフックに係合することにより、前記携帯鞄を前記スーツケースの表面に着脱自在に取り付ける。
スーツケースに取り付けた状態では、携帯鞄は互いに離れた複数個所で支持されるので、スーツケースを移動中に大きく揺れることがない。
【０００７】
前記フックは、運搬中物品にぶつかって破損しないよう、前記スーツケースの表面に形成した凹部に設置するのが望ましい。
前記フックの引っ掛け部の内面に、リング脱落防止用の鉤部を形成すると、運搬中にフックからリングが抜け出すのを防止できる。
前記リングは、前記携帯鞄の外縁部に設けても良い。
前記リングの少なくとも一つは、張力により生じた変形が弾性回復する伸縮性材料を素材とすることができる。
【０００８】
【考案の実施の形態】
図１乃至図５は、本考案の第１の実施形態を示す。
図１及び図３に示すように、本考案の複合鞄９０は、スーツケース１０と、スーツケース１０の外面に着脱自在に取り付けられる携帯鞄２０とから成る。
携帯鞄２０は、スーツケース１０の外形よりも小型の鞄本体２１と、鞄本体２１の外縁部において、互いに離れた位置に装着された複数の伸縮性リング２２とを備える。鞄本体２１は通常のリュックサック形状をなし、その背面には図示しない左右の背負い紐が装着されている。
伸縮性リング２２は、使用者の身体にぶつかって不快感を与えたり、物品にぶつかって破損しないよう軟質材料であって、且つ、張力により生じた変形が弾性回復する伸縮性材料、例えば丸ゴム紐等より成り、図２に示すように、鞄本体２１の下部両側及び頂部に合計３個取り付けられる。
【０００９】
図１及び図３に示すように、スーツケース１０の下面角部にはそれぞれキャスターが取り付けられ、スーツケース１０の一側面には伸縮自在のキャリバー１１が設置され、キャリバー１１が設置された側と逆側の半分が開閉自在のスーツケース蓋１２となっている。
スーツケース１０のキャリバー設置面と相対する表面上、即ち、スーツケース蓋１２の表面上には、複数の（図に示す例では３個の）凹部１２１が互いに離れた位置に形成される。
【００１０】
スーツケース１０の凹部１２１は、凹部１２１間の距離が携帯鞄２０の伸縮性リング２２間の距離よりやや大きくなる位置に形成され、各凹部１２１には伸縮性リング２２を着脱自在に係合できるフック１３がネジ１４で固定されている。フック１３の引っ掛け部は、これらフック１３が囲む区域の外側を向いて開口しており、図４及び図５に示すように、引っ掛け部の内面先端寄りには、リング脱落防止用の鉤部１３１が内側を向いて形成されている。鉤部１３１の先端とスーツケース蓋１２間の隙間は、常態における伸縮性リング２２の太さよりも狭く形成されている。
【００１１】
携帯鞄２０をスーツケース１０へ連結するには、携帯鞄２０の伸縮性リング２２をそれぞれフック１３の外側から引っ掛け部へ進入させて係合する。すると、フック１３間の距離が伸縮性リング２２間の距離よりもやや大きいため、伸縮性リング２２に張力が加わって、携帯鞄２０はスーツケース蓋１２の外面にぴったりと重なった状態で取り付けられ、しかも、携帯鞄２０は３個所で支持されるので、スーツケース１０を運搬中に携帯鞄２０が大きく揺れて、移動の邪魔になることがない。
【００１２】
また、鉤部１３１とスーツケース蓋１２との隙間は伸縮性リング２２の太さよりも狭いので、フック１３に係合した伸縮性リング２２は、運搬中に携帯鞄２０が多少揺れても外れる心配はない。
一方、伸縮性リング２２をフック１３内へ進入させたり外す場合には、伸縮性リング２２を強制的に引っ張ると、伸縮性リング２２は鉤部１３１に引っかかって伸長し、変形して細くなるため、鉤部１３１とスールケース蓋１２との隙間を容易に通過することができる。
【００１３】
図６乃至図８は、第２の実施形態を示す。
図６に示すように、フック１３の下部両側に透孔１３２が穿設されている。携帯鞄２０を外してある場合に、手提げ鞄４０の持ち手４１にベルト３０を通し、ベルト３０の両端に設けた引っ掛け部材３１を左右の透孔１３２に係止することにより、手提げ鞄４０をスーツケース１０の外面に取り付けることができる（図７及び図８参照）。
勿論、引っ掛け部材３１を有するベルト３０に代えて普通の紐を用い、紐を透孔１３２に結びつけることも可能であり、透孔１３２は一つであっても良い。また、適当な大きさ・形状のものであれば、手提げ鞄４０以外の物品をスーツケース蓋１２の表面に取り付けることもできる。
【００１４】
図９は及び図１０は、第３の実施形態を示す。
携帯鞄２０の頂部には、伸縮性リング２２に代えて、平紐より成る非伸縮性リング２３を取り付けてある（図１０）。図９に示すように、頂部の非伸縮性リング２３をフック１３に係合すると、非伸縮性リング２３は携帯鞄２０の重量で伸長しないので、携帯鞄２０の取付位置が安定すると共に、下部の伸縮性リング２２に加わる張力が一定に維持され、伸縮性リング２２がフック１３から外れにくい。
また、図１１に示す第４の実施形態のように、携帯鞄２０の頂部及び下部一側に非伸縮性リング２３を設け、下部他側のみに伸縮性リング２２を装着することもできる。
【００１５】
図１２は、第５の実施形態を示し、凹部１２１はスーツケース蓋１２に傾斜した状態で形成され、スーツケース１０の内部から凹部１２１の下面を貫通して外部にねじ込んだネジ１４によって、フック１３を傾斜させて取り付けてある。
図１３は、第６の実施形態を示し、凹部１２１をスーツケース蓋１２に垂直に形成し、スーツケース１０の内部から凹部１２１の下面を貫通して外部にねじ込んだネジ１４によって、フック１３を垂直に取り付けてある。
【００１６】
なお、リング２２，２３の総数及びフック１３の数は、２個以上であれば良く、３個に限定されるものではない。
また、リング２２，２３の総数とフック１３の数とが同数でなくても良い。例えば、スーツケース１０の頂部と、下部両側及び中間部に合計４個のフック１３を取り付けたり、スーツケース１０の上下両側に合計４個のフック１３を取り付けて、携帯鞄２０に設けた３個のリング２２，２３を４個のフック１３のいずれかに係合することができる。或いは、リング２２，２３の数をフック１３の数より多くすることも可能である。この場合、フック１３及びリング２２，２３は、２個以上が対応する位置に設けることが必要である。
【００１７】
【考案の効果】
本考案によれば、旅行時に必要なスーツケースと携帯鞄とを結合可能なので、少ない荷物数で身軽に移動でき、携帯鞄をスーツケースに連結する際に特別な器具を必要としない。
また、携帯鞄はスーツケースの外面に装着されるため、携帯鞄を収納することによってスーツケースの内部スペースを狭めることが無く、スーツケースを開閉せずに携帯鞄内部に物品を出し入れしたり、携帯鞄を着脱することが可能である。
さらに、携帯鞄は複数の支持個所でスーツケースに取り付けられるので、移動中に携帯鞄が大きく揺れてスーツケースの移動を阻害する心配も無く、フックを利用して手提げ鞄等の他の物品をスーツケースに取り付けることもできる。
スーツケースに凹部を形成し、この凹部にフックを取り付ければ、フックが物品等に引っかかって破損するのを防ぐことができる。
フックの引っ掛け部にリング脱落防止用の鉤部を形成すると、運搬中にリングがフックから外れて、携帯鞄がスーツケースから脱落するのを防止できる。
【図面の簡単な説明】
【図１】第１の実施形態を示す複合鞄の結合状態の斜視図。
【図２】第１の実施形態に係る携帯鞄の正面図。
【図３】第１の実施形態を示す複合鞄の分離状態の斜視図。
【図４】第１の実施形態に係るフック及びリングの斜視図。
【図５】第１の実施形態に係るフック及びリングの断面図。
【図６】第２の実施形態に係るフック及びリングの斜視図。
【図７】第２の実施形態に係る使用例を示す正面図。
【図８】図７の要部斜視図。
【図９】第３実施形態を示す複合鞄の要部斜視図。
【図１０】第３の実施形態に係る携帯鞄の正面図。
【図１１】第４の実施形態に係る携帯鞄の正面図。
【図１２】第５の実施形態に係るスーツケースの要部斜視図。
【図１３】第６の実施形態に係るスーツケースの要部斜視図。
【符号の説明】
１０　スーツケース
１１　キャリバー
１２　スーツケース蓋
１２１　凹部
１３　フック
１３１　鉤部
１３２　透孔
１４　ネジ
２０　携帯鞄
２１　鞄本体
２２　伸縮性リング
２３　非伸縮性リング
３０　ベルト
３１　引っ掛け部材
４０　手提げ鞄
４１　持ち手
【図１】
0003098002.tif 000003
【図２】
0003098002.tif 000004
【図３】
0003098002.tif 000005
【図４】
0003098002.tif 000006
【図５】
0003098002.tif 000007
【図６】
0003098002.tif 000008
【図７】
0003098002.tif 000009
【図８】
0003098002.tif 000010
【図９】
0003098002.tif 000011
【図１０】
0003098002.tif 000012
【図１１】
0003098002.tif 000013
【図１２】
0003098002.tif 000014
【図１３】
0003098002.tif 000015